(57)【特許請求の範囲】
【請求項１】
第１電話機と携帯電話網との間の通信を中継する中継機器と、
前記第１電話機のＦＡＸ通信を制御する制御装置と、
を備える中継システムであって、
前記制御装置は、
前記第１電話機と第２電話機との間で確立された前記携帯電話網を介した音声通話接続における前記第２電話機から前記第１電話機に対するＦＡＸ通信要求を検出する第１要求検出部と、
前記ＦＡＸ通信要求が検出され、かつ、前記音声通話接続が切断された場合に、前記第２電話機から前記第１電話機へのＦＡＸ送信を行わせるべく、前記第１電話機と前記第２電話機との間に前記携帯電話網を介したデータ通信接続を確立させるデータ通信接続確立部と
を有する、中継システム。
【請求項２】
前記制御装置は、
前記ＦＡＸ通信要求が検出された場合に、前記中継機器に対して、前記音声通話接続の切断要求を送信する切断要求送信部
をさらに有し、
前記中継機器は、
前記音声通話接続における前記第２電話機から前記第１電話機に対する前記ＦＡＸ通信要求を検出する第２要求検出部と、
前記切断要求送信部によって送信された前記切断要求を受信する切断要求受信部と、
前記ＦＡＸ通信要求が検出され、かつ、前記切断要求が受信された場合に、前記第１電話機との通信接続は切断せずに、前記切断要求に対する肯定応答を前記制御装置に送信する応答送信部と
を有する、請求項１に記載の中継システム。
【請求項３】
前記切断要求送信部は、前記ＦＡＸ通信要求が検出された場合に、前記第２電話機に対しては前記音声通話接続の切断要求を送信せずに、前記中継機器に対して、前記音声通話接続の前記切断要求を送信する、請求項２に記載の中継システム。
【請求項４】
前記制御装置は、
前記中継機器に対応する、携帯電話番号、固定電話番号及び前記データ通信接続を確立するための識別情報を対応付けて格納する情報格納部と、
前記第２電話機によって送信された前記固定電話番号を宛先とする通話要求信号を受信した場合に、前記固定電話番号に対応する前記携帯電話番号を用いて、前記第１電話機に対する通話要求を前記中継機器に送信することにより、前記第１電話機と前記第２電話機との前記音声通話接続を確立する通話接続確立部と
をさらに有する、請求項１から３のいずれか一項に記載の中継システム。
【請求項５】
前記データ通信接続確立部は、前記ＦＡＸ通信要求が検出され、かつ、前記音声通話接続の切断を検出した場合に、前記固定電話番号に対応する前記識別情報を用いて、前記データ通信接続を確立させる、請求項４に記載の中継システム。
【請求項６】
前記携帯電話網を介した音声通話接続は、ＶｏＬＴＥ（Ｖｏｉｃｅ  ｏｖｅｒ  ＬＴＥ）接続である、請求項１から５のいずれか一項に記載の中継システム。
【請求項７】
前記携帯電話網を介したデータ通信接続は、ＶｏＩＰ（Ｖｏｉｃｅ  ｏｖｅｒ  ＩＰ）接続である、請求項１から６のいずれか一項に記載の中継システム。
【請求項８】
第１電話機と第２電話機との間で確立された携帯電話網を介した音声通話接続における前記第２電話機から前記第１電話機に対するＦＡＸ通信要求を検出する要求検出部と、
前記ＦＡＸ通信要求が検出され、かつ、前記音声通話接続が切断された場合に、前記第２電話機から前記第１電話機へのＦＡＸ送信を行わせるべく、前記第１電話機と前記第２電話機との間に、前記携帯電話網を介したデータ通信接続を確立するデータ通信接続確立部と
を備える制御装置。
【請求項９】
コンピュータを、請求項８に記載の制御装置として機能させるためのプログラム。
【請求項１０】
第１電話機と携帯電話網との間の通信を中継する中継機器であって、
前記第１電話機と第２電話機との間で確立された前記携帯電話網を介した音声通話接続における前記第２電話機から前記第１電話機に対するＦＡＸ通信要求を検出する要求検出部と、
前記音声通話接続の切断要求を受信する切断要求受信部と、
前記ＦＡＸ通信要求が検出され、かつ、前記切断要求が受信された場合に、前記第１電話機との通信接続は切断せずに、前記切断要求に対する肯定応答を送信する応答送信部と
を備える中継機器。
【請求項１１】
コンピュータを、請求項１０に記載の中継機器として機能させるためのプログラム。
【発明の詳細な説明】
【技術分野】
【０００１】
本発明は、中継システム、制御装置、中継機器及びプログラムに関する。
【背景技術】
【０００２】
ＬＴＥ（Ｌｏｎｇ  Ｔｅｒｍ  Ｅｖｏｌｕｔｉｏｎ）網上で高速な音声パケット通信サービスを提供するＶｏＬＴＥ（Ｖｏｉｃｅ  ｏｖｅｒ  ＬＴＥ）が知られている（例えば、特許文献１参照）。
［先行技術文献］
［特許文献］
［特許文献１］特開２０１４−２１６７７３号公報
【発明の概要】
【発明が解決しようとする課題】
【０００３】
ＶｏＬＴＥ接続を確立している電話機同士で、ＦＡＸ通信を実現できる技術を提供できることが望ましい。
【課題を解決するための手段】
【０００４】
本発明の第１の態様によれば、中継システムが提供される。中継システムは、第１電話機と携帯電話網との間の通信を中継する中継機器を備えてよい。中継システムは、第１電話機のＦＡＸ通信を制御する制御装置を備えてよい。制御装置は、記第１電話機と第２電話機との間で確立された携帯電話網を介した音声通話接続における第２電話機から第１電話機に対するＦＡＸ通信要求を検出する第１要求検出部を有してよい。制御装置は、ＦＡＸ通信要求が検出され、かつ、音声通話接続の切断を検出した場合に、第２電話機から第１電話機へのＦＡＸ送信を行わせるべく、第１電話機と第２電話機との間に携帯電話網を介したデータ通信接続を確立させるデータ通信接続確立部を有してよい。
【０００５】
上記制御装置は、上記ＦＡＸ通信要求が検出された場合に、上記中継機器に対して、上記音声通話接続の切断要求を送信する切断要求送信部をさらに有してよく、上記中継機器は、上記音声通話接続における上記第２電話機から上記第１電話機に対する上記ＦＡＸ通信要求を検出する第２要求検出部と、上記切断要求送信部によって送信された上記切断要求を受信する切断要求受信部と、上記ＦＡＸ通信要求が検出され、かつ、上記切断要求が受信された場合に、上記第１電話機との通信接続は切断せずに、上記切断要求に対する肯定応答を上記制御装置に送信する応答送信部とをさらに有してよい。上記切断要求送信部は、上記ＦＡＸ通信要求が検出された場合に、上記第２電話機に対しては上記音声通話接続の切断要求を送信せずに、上記中継機器に対して、上記音声通話接続の上記切断要求を送信してよい。
【０００６】
上記制御装置は、上記中継機器に対応する、携帯電話番号、固定電話番号及び上記データ通信接続を確立するための識別情報を対応付けて格納する情報格納部と、上記第２電話機によって送信された上記固定電話番号を宛先とする通話要求信号を受信した場合に、上記固定電話番号に対応する上記携帯電話番号を用いて、上記第１電話機に対する通話要求を上記中継機器に送信することにより、上記第１電話機と上記第２電話機との上記音声通話接続を確立する通話接続確立部とをさらに有してよい。上記データ通信接続確立部は、上記ＦＡＸ通信要求が検出され、かつ、上記音声通話接続の切断を検出した場合に、上記固定電話番号に対応する上記識別情報を用いて、上記データ通信接続を確立させてよい。上記携帯電話網を介した音声通話接続は、ＶｏＬＴＥ接続であってよい上記携帯電話網を介したデータ通信接続は、ＶｏＩＰ（Ｖｏｉｃｅ  ｏｖｅｒ  ＩＰ）接続であってよい。
【０００７】
本発明の第２の態様によれば、制御装置が提供される。制御装置は、第１電話機と第２電話機との間で確立された携帯電話網を介した音声通話接続における第２電話機から第１電話機に対するＦＡＸ通信要求を検出する要求検出部を備えてよい。制御装置は、ＦＡＸ通信要求が検出され、かつ、音声通話接続が切断された場合に、第２電話機から第１電話機へのＦＡＸ送信を行わせるべく、第１電話機と第２電話機との間に、携帯電話網を介したデータ通信接続を確立するデータ通信接続確立部を備えてよい。
【０００８】
本発明の第３の態様によれば、コンピュータを、上記制御装置として機能させるためのプログラムが提供される。
【０００９】
本発明の第４の態様によれば、第１電話機と携帯電話網との間の通信を中継する中継機器が提供される。中継機器は、第１電話機と第２電話機との間で確立された携帯電話網を介した音声通話接続における第２電話機から第１電話機に対するＦＡＸ通信要求を検出する要求検出部を備えてよい。中継機器は、音声通話接続の切断要求を受信する切断要求受信部を備えてよい。中継機器は、ＦＡＸ通信要求が検出され、かつ、切断要求が受信された場合に、第１電話機との通信接続は切断せずに、切断要求に対する肯定応答を送信する応答送信部を備えてよい。
【００１０】
本発明の第５の態様によれば、コンピュータを、上記中継機器として機能させるためのプログラムが提供される。
【００１１】
なお、上記の発明の概要は、本発明の必要な特徴の全てを列挙したものではない。また、これらの特徴群のサブコンビネーションもまた、発明となりうる。
【図面の簡単な説明】
【００１２】
【図１】中継システム１０の一例を概略的に示す。
【図２】中継システム１０による処理の流れの一例を概略的に示す。
【図３】制御装置２００の機能構成の一例を概略的に示す。
【図４】中継機器１００の機能構成の一例を概略的に示す。
【図５】制御装置２００として機能するコンピュータ１０００の一例を概略的に示す。
【発明を実施するための形態】
【００１３】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１４】
図１は、中継システム１０の一例を概略的に示す。本実施形態に係る中継システム１０は、例えば、それまでメタル回線に接続されていた固定電話に対して、携帯電話網を介した通話機能及びＦＡＸ機能等を提供する。
【００１５】
中継システム１０は、中継機器１００及び制御装置２００を備える。中継機器１００は、電話機３００と携帯電話網３０との間の通信を中継する。中継機器１００は、携帯電話網３０の無線基地局３２と無線通信することにより、電話機３００と携帯電話網３０との間の通信を中継する。電話機３００は、固定電話機である。電話機３００は、ＦＡＸ機能を搭載する固定電話機であってよい。電話機３００は、第１電話機の一例であってよい。
【００１６】
携帯電話網３０は、ネットワーク２０に含まれる。ネットワーク２０は、携帯電話網３０及び固定電話網４０を含む。ネットワーク２０は、例えば、一の電気通信事業者によって提供される。携帯電話網３０は、例えばＬＴＥ網であってよい。携帯電話網３０は、ＶｏＬＴＥによる音声通話サービスを提供してよい。携帯電話網３０は、インターネットを介したデータ通信サービスを提供してよい。携帯電話網３０は、インターネットを介した音声通話サービスを提供してよい。例えば、携帯電話網３０は、ＶｏＩＰ（Ｖｏｉｃｅ  ｏｖｅｒ  ＩＰ）による音声通話サービスを提供する。
【００１７】
固定電話網４０は、ネットワーク５０に接続されている。ネットワーク５０は、メタル回線によって構成される電話網を含む。ネットワーク５０には、電話機４００及び緊急電話４１０等が接続されている。電話機４００は、固定電話機である。電話機４００は、ＦＡＸ機能を搭載した固定電話機であってよい。電話機４００は、第２電話機の一例であってよい。緊急電話４１０は、いわゆる緊急通報用電話番号が割り当てられた電話機である。
【００１８】
ネットワーク５０は、ネットワーク２０を提供する電気通信事業者とは異なる電気通信事業者によって提供される携帯電話網及び固定電話網を含んでよい。ネットワーク５０の携帯電話網は、無線基地局５２を介して携帯電話４２０と通信してよい。
【００１９】
制御装置２００は、固定電話網４０内に配置されてよい。制御装置２００は、電話機３００の通話及びＦＡＸ通信を制御する。制御装置２００は、中継機器１００に対応する携帯電話番号及び固定電話番号を対応付けて格納する。中継機器１００に対応する携帯電話番号とは、中継機器１００及び電話機３００の使用者が、ネットワーク２０を提供する電気通信事業者と契約することによって取得した携帯電話番号であってよい。
【００２０】
中継機器１００に対応する固定電話番号とは、中継機器１００及び電話機３００の使用者が、ネットワーク２０を提供する電気通信事業者と契約することによって取得した固定電話番号であってよい。メタル回線に接続されていた電話機３００を中継機器１００に接続し替える場合、中継機器１００に対応する固定電話番号は、ＬＮＰ（Ｌｏｃａｌ  Ｎｕｍｂｅｒ  Ｐｏｒｔａｂｉｌｉｔｙ）によって、ネットワーク２０を提供する電気通信事業者に移行された固定電話番号であってもよい。
【００２１】
中継機器１００は、電話機３００によって発呼された着信側番号が、緊急電話４１０に割り当てられた電話番号である場合、中継機器１００に対応する携帯電話番号及び着信側番号を含む呼情報を、携帯電話網３０のＥＣＳ（Ｅｍｅｒｇｅｎｃｙ  Ｃａｌｌ  Ｓｙｓｔｅｍ）３６にルーティングしてよい。ＥＣＳ３６は、呼情報を緊急電話４１０にルーティングしてよい。ＥＣＳ３６は、発信者番号として、中継機器１００に対応する携帯電話番号を着信側に通知してよい。
【００２２】
中継機器１００は、電話機３００によって発呼された着信側番号が、緊急通報用電話番号以外の電話番号である場合、中継機器１００に対応する携帯電話番号及び着信側番号を含む呼情報を、携帯電話網３０のＣＳＣＦ（Ｃａｌｌ  Ｓｅｓｓｉｏｎ  Ｃｏｎｔｒｏｌ  Ｆｕｎｃｔｉｏｎ）３４にルーティングする。中継機器１００は、予め定められたプレフィックスを着信側番号に付与して、呼情報をＣＳＣＦ３４にルーティングしてよい。ＣＳＣＦ３４は、呼情報を制御装置２００にルーティングする。制御装置２００は、呼情報に含まれる携帯電話番号に対応する固定電話番号を、発信者番号として着信側に通知してよい。
【００２３】
中継システム１０において、電話機３００によってＦＡＸ送信する場合、予め定められた番号を着信側番号に付与してダイヤルすることが取り決められていてよい。例えば、電話機３００の使用者は、ＦＡＸ送信する場合、予め定められた番号を付与して着信側番号をダイヤルする。
【００２４】
中継機器１００は、電話機３００により発呼された着信側番号に予め定められた番号が付与されている場合、着信側番号と、中継機器１００を識別する識別情報とを、携帯電話網３０によって提供されるインターネットを介したデータ通信サービスを介して、制御装置２００にルーティングする。中継機器１００を識別する識別情報は、携帯電話網３０によって提供されるインターネットなどを介したデータ通信サービスにおいて、データ通信接続を確立可能な情報であればどのような情報であってもよい。例えば、当該識別情報は０５０で始まるＩＰ電話番号であってよい。
【００２５】
制御装置２００は、当該識別情報と、中継機器１００の携帯電話番号及び固定電話番号とを対応付けて格納していてよい。制御装置２００は、受信した着信側番号を用いて、呼情報を着信側にルーティングする。制御装置２００は、発信者番号として、受信した識別情報に対応する固定電話番号を着信側に通知してよい。
【００２６】
電話機４００が電話機３００に対してＦＡＸ送信する場合、例えば、電話機４００は、中継機器１００に対応する固定電話番号に対して発呼して、電話機３００に対するＦＡＸ通信要求を送信する。当該ＦＡＸ通信要求は、制御装置２００にルーティングされる。制御装置２００は、受信したＦＡＸ通信要求に含まれる固定電話番号に対応する携帯電話番号を特定して、当該携帯電話番号を用いて、ＦＡＸ通信要求を中継機器１００宛に送信する。ＦＡＸ通信要求は、携帯電話網３０のＶｏＬＴＥ網を介して中継機器１００にルーティングされてよい。電話機３００においてオフフックされると、ＶｏＬＴＥ接続が確立される。ここで、ＶｏＬＴＥ網を介してＦＡＸ通信を行おうとした場合、中継機器１００及び制御装置２００は、ＣＮＧ（ＣＡＬＬＩＮＧ）信号及びＣＥＤ（ＣＡＬＬＥＤ）信号の送受信を検出することによって、その通信がＦＡＸ通信であることを検出することはできるが、ＦＡＸ信号が歪むことによってＦＡＸ通信は成功せず、エラーになってしまうことが知られている。
【００２７】
本実施形態に係る制御装置２００及び中継機器１００は、ＶｏＬＴＥ網を介してＦＡＸ通信が行われようとしていることを検出した場合、通信回線を、ＶｏＬＴＥ接続から、携帯電話網３０によって提供されるインターネットを介したデータ通信接続に切り換えることによってＦＡＸ通信を実現する。
【００２８】
図２は、中継システム１０による処理の流れの一例を概略的に示す。ここでは、電話機４００が、電話機３００との間にＶｏＬＴＥ接続を確立して、当該ＶｏＬＴＥ接続を介してＦＡＸ通信要求を送信してから、ＦＡＸ送信が実行されるまでの処理の流れを概略的に説明する。なお、中継機器１００の情報が制御装置２００に登録されている状態、すなわち、制御装置２００が、中継機器１００に対応する携帯電話番号、固定電話番号及びデータ通信接続を確立するための識別情報を対応付けて格納している状態を開始状態として説明する。
【００２９】
ステップ（ステップをＳと省略して記載する場合がある。）２０２では、電話機４００が、中継機器１００に対応する固定電話番号を含む、電話機３００に対するＦＡＸ通信要求を送信する。当該ＦＡＸ通信要求は、ネットワーク５０内の交換装置５４を介して、制御装置２００に送信される。
【００３０】
Ｓ２０４では、制御装置２００が、ＦＡＸ通信要求に含まれる宛先の固定電話番号に対応する携帯電話番号を特定し、当該携帯電話番号を含むＩＮＶＩＴＥメッセージを送信する。当該ＩＮＶＩＴＥメッセージは、固定電話網４０と携帯電話網３０とを接続するＧＷ（Ｇａｔｅｗａｙ）４８及びＧＷ３８と、ＣＳＣＦ３４とを介して中継機器１００にルーティングされる。ＧＷ３８とＧＷ４８との間は、例えば、ＩＳＵＰ（Ｉｎｔｅｇｒａｔｅｄ  Ｓｅｒｖｉｃｅｓ  Ｄｉｇｉｔａｌ  Ｎｅｔｗｏｒｋ  Ｕｓｅｒ  Ｐａｒｔ）を用いて通信が実行されてよい。
【００３１】
Ｓ２０６では、中継機器１００が、電話機３００及び電話機４００宛に「１８０  Ｒｉｎｇｉｎｇ」を送信する。Ｓ２０８では、電話機３００のオフフックに応じて、中継機器１００が、電話機４００宛に「２００  ＯＫ」を送信する。これにより、電話機３００と電話機４００との間に、ＶｏＬＴＥ接続が確立する。
【００３２】
Ｓ２１０では、電話機３００と電話機４００との間で、ＣＮＧ信号及びＣＥＤ信号の送受信が実行される。Ｓ２１２では、制御装置２００が、ＣＮＧ信号及びＣＥＤ信号の送受信を検出する。Ｓ２１４では、中継機器１００が、ＣＮＧ信号及びＣＥＤ信号の送受信を検出する。
【００３３】
Ｓ２１６では、制御装置２００が、Ｓ２１２においてＣＮＧ信号及びＣＥＤ信号の送受信を検出したことに応じて、Ｓ２０８において確立したＶｏＬＴＥ接続を切断すべく、ＢＹＥメッセージを中継機器１００に送信する。
【００３４】
Ｓ２１８では、中継機器１００が、Ｓ２１４においてＣＮＧ信号及びＣＥＤ信号の送受信を検出し、かつ、Ｓ２１６においてＢＹＥメッセージを受信したことに応じて、電話機３００との通信接続は切断せずに、ＢＹＥメッセージに対する「２００  ＯＫ」を送信する。電話機３００との通信接続を切断しないことは、電話機３００との間のいわゆるＦＸＳ（Ｆｏｒｅｉｇｎ  ｅＸｃｈａｎｇｅ  Ｓｕｂｓｃｒｉｂｅｒ）接続を切断しないことであってよい。
【００３５】
Ｓ２２０では、制御装置２００が、Ｓ２１８において「２００  ＯＫ」を受信したことに応じて、電話機３００と電話機４００との間に携帯電話網３０を介したデータ通信接続を確立すべく、Ｓ２０２において受信したＦＡＸ通信要求に含まれる固定電話番号に対応する識別情報を含むＩＮＶＩＴＥメッセージを制御装置２００に送信する。
【００３６】
Ｓ２２２では、中継機器１００が、Ｓ２２０においてＩＮＶＩＴＥメッセージを受信したことに応じて、「１８０  Ｒｉｎｇｉｎｇ」を制御装置２００に送信する。Ｓ２２４では、中継機器１００が「２００  ＯＫ」を制御装置２００に送信する。
【００３７】
Ｓ２２６では、制御装置２００が、Ｓ２２４において「２００  ＯＫ」を受信したことに応じて、交換装置５４にＲｅ−ＩＮＶＩＴＥメッセージを送信する。Ｓ２２８では、交換装置５４が、制御装置２００に「２００  ＯＫ」を送信する。Ｓ２３０では、例えば、Ｇ７１１であったりＴ３８に従って、電話機４００から電話機３００に対してＦＡＸ送信が実行される。
【００３８】
中継システム１０が上述の処理を実行することによって、電話機４００から電話機３００へのＦＡＸ通信を実現可能とすることができる。なお、中継機器１００は、Ｓ２１６においてＢＹＥメッセージを受信した後、電話機３００との通信接続を維持したまま待機することになるが、予め定められた設定時間を経過するまでに制御装置２００からのＩＮＶＩＴＥメッセージを受信しなかった場合、電話機３００との通信接続を切断するように構成されてもよい。予め定められた設定時間は、例えば、３０秒等の任意の値に設定されてよい。
【００３９】
図３は、制御装置２００の機能構成の一例を概略的に示す。制御装置２００は、通信中継部２１０、情報格納部２２０及び要求検出部２３０を備える。通信中継部２１０は、電話機３００と、電話機４００、緊急電話４１０及び携帯電話４２０等との間の通信を中継する。通信中継部２１０は、通話接続確立部２１２、切断要求送信部２１４及びデータ通信接続確立部２１６を有する。
【００４０】
情報格納部２２０は、電話機３００及び中継機器１００に関する情報を格納する。情報格納部２２０は、中継機器１００に対応する携帯電話番号、固定電話番号及びデータ通信接続を確立するための識別情報を対応付けて格納してよい。
【００４１】
要求検出部２３０は、電話機３００と電話機４００との間で確立された携帯電話網３０を介した音声通話接続における電話機４００から電話機３００に対するＦＡＸ通信要求を検出する。携帯電話網３０を介した音声通話接続は、音声パケット通信接続であってよい。携帯電話網３０を介した音声通話接続は、例えば、ＶｏＬＴＥ接続である。要求検出部２３０は、第１要求検出部の一例であってよい。
【００４２】
通話接続確立部２１２は、電話機３００と電話機４００との間の音声通話接続を確立する。通話接続確立部２１２は、中継機器１００から受信した呼情報が、中継機器１００に対応する携帯電話番号と、着信側番号とを含む場合、当該着信側番号を用いて呼情報を着信側にルーティングするとともに、情報格納部２２０を参照して当該携帯電話番号に対応する固定電話番号を特定し、当該固定電話番号を発信者番号として通知してよい。
【００４３】
通話接続確立部２１２は、中継機器１００から、中継機器１００に対応する識別情報と、着信側番号とを受信した場合、当該着信側番号を用いて呼情報を着信側にルーティングするとともに、情報格納部２２０を参照した当該識別情報に対応する固定電話番号を特定し、当該固定電話番号を発信者番号として通知する。
【００４４】
通話接続確立部２１２は、電話機４００によって送信された、中継機器１００に対応する固定電話番号を宛先とする通話要求信号を受信した場合に、情報格納部２２０を参照して、当該固定電話番号に対応する携帯電話番号を特定する。そして、通話接続確立部２１２は、当該携帯電話番号を用いて、電話機３００に対する通話要求を中継機器１００に送信することにより、電話機３００と電話機４００との間の音声通話接続を確立してよい。
【００４５】
切断要求送信部２１４は、通話接続確立部２１２によって電話機３００と電話機４００との間に携帯電話網３０を介した音声通話接続が確立された後、要求検出部２３０によって電話機４００から電話機３００に対するＦＡＸ通信要求が検出された場合に、中継機器１００に対して当該音声通話接続の切断要求を送信する。切断要求送信部２１４は、電話機４００に対しては音声通話接続の切断要求を送信せずに、中継機器１００に対して説田に要求を送信してよい。切断要求送信部２１４は、例えば、ＢＹＥメッセージを中継機器１００に対して送信する。
【００４６】
データ通信接続確立部２１６は、要求検出部２３０によって、電話機３００と電話機４００との間で確立された携帯電話網３０を介した音声通話接続における電話機４００から電話機３００に対するＦＡＸ通信要求が検出され、かつ、当該音声通話接続が切断された場合に、電話機４００から電話機３００へのＦＡＸ送信を行わせるべく、電話機３００と電話機４００との間に携帯電話網３０を介したデータ通信接続を確立させる。データ通信接続確立部２１６は、中継機器１００に対応する識別情報を用いて、電話機３００と電話機４００との間に携帯電話網３０を介したデータ通信接続を確立させてよい。携帯電話網３０を介したデータ通信接続は、例えば、ＶｏＩＰ接続である。データ通信接続確立部２１６は、例えば、電話機３００と電話機４００との間にＶｏＩＰ接続を確立すべく、中継機器１００に対応する識別情報を含むＩＮＶＩＴＥメッセージを中継機器１００に送信する。そして、データ通信接続確立部２１６は、中継機器１００から肯定応答を受信したことに応じてＲｅ−ＩＮＶＩＴＥメッセージを電話機４００宛に送信し、「２００  ＯＫ」を受信することによって、データ通信接続を確立してよい。
【００４７】
図４は、中継機器１００の機能構成の一例を概略的に示す。中継機器１００は、通信中継部１１０、宛先判定部１２０及び要求検出部１３０を備える。通信中継部１１０は、携帯電話網３０を介した電話機３００の通信を中継する。通信中継部１１０は、通話処理部１１２、データ通信処理部１１４、切断要求受信部１１６及び応答送信部１１８を有する。
【００４８】
宛先判定部１２０は、電話機３００による発呼の宛先を判定する。宛先判定部１２０は、電話機３００によって発呼された着信側番号が、緊急通報用電話番号であるか否かを判定してよい。宛先判定部１２０は、緊急通報用電話番号を予め格納しておき、電話機３００によって発呼された着信側番号が緊急通報用電話番号に一致するか否かを判定することによって、宛先を判定してよい。
【００４９】
要求検出部１３０は、電話機３００と電話機４００との間で確立された携帯電話網３０を介した音声通話接続における電話機４００から電話機３００に対するＦＡＸ通信要求を検出する。要求検出部１３０は、第２要求検出部の一例であってよい。
【００５０】
通話処理部１１２は、電話機３００の通話に関する処理を実行する。通話処理部１１２は、電話機３００によって発呼された場合に、宛先が緊急通報用電話番号であるか否かの情報を宛先判定部１２０から取得する。通話処理部１１２は、宛先が緊急通報用電話番号である場合、中継機器１００に対応する携帯電話番等及び着信側番号を含む呼情報をＥＣＳ３６に送信する。通話処理部１１２は、宛先が緊急通報用電話番号でない場合、中継機器１００に対応する携帯電話番等及び着信側番号を含む呼情報をＣＳＣＦ３４に送信する。
【００５１】
データ通信処理部１１４は、電話機３００のデータ通信に関する処理を実行する。データ通信処理部１１４は、電話機３００によって発呼された着信側番号に予め定められた番号が付与されている場合、中継機器１００を識別する識別情報と、着信側番号とを、携帯電話網３０によって提供されるインターネットを介したデータ通信サービスを介して、制御装置２００に送信する。
【００５２】
切断要求受信部１１６は、切断要求送信部２１４によって送信された切断要求を受信する。応答送信部１１８は、電話機３００と電話機４００との間で確立された携帯電話網３０を介した音声通話接続における電話機４００から電話機３００に対するＦＡＸ通信要求が要求検出部１３０によって検出され、かつ、切断要求受信部１１６が切断要求を受信した場合に、電話機３００との通信接続は維持したまま、切断要求に対する肯定応答を制御装置２００に送信する。
【００５３】
データ通信接続確立部２１６は、応答送信部１１８が肯定応答を制御装置２００に送信した後、データ通信接続確立部２１６からＩＮＶＩＴＥメッセージを受信した場合、ＩＮＶＩＴＥメッセージに対する肯定応答を制御装置２００に送信する。データ通信接続確立部２１６は、応答送信部１１８が切断要求に対する肯定応答を送信してから、予め定められた設定時間を経過するまでにＩＮＶＩＴＥメッセージを受信しなかった場合、電話機３００との通信接続を切断させてよい。予め定められた設定時間は、例えば、３０秒であり、変更可能であってよい。これにより、電話機３００との通信接続を維持したまま、必要以上の時間待機してしまうことを防止できる。
【００５４】
図５は、制御装置２００として機能するコンピュータ１０００の一例を概略的に示す。本実施形態に係るコンピュータ１０００は、ホストコントローラ１０９２により相互に接続されるＣＰＵ１０１０、ＲＡＭ１０３０、及びグラフィックコントローラ１０８５を有するＣＰＵ周辺部と、入出力コントローラ１０９４によりホストコントローラ１０９２に接続されるＲＯＭ１０２０、通信Ｉ／Ｆ１０４０、ハードディスクドライブ１０５０、ＤＶＤドライブ１０７０、及び入出力チップ１０８０を有する入出力部を備える。
【００５５】
ＣＰＵ１０１０は、ＲＯＭ１０２０及びＲＡＭ１０３０に格納されたプログラムに基づいて動作し、各部の制御を行う。グラフィックコントローラ１０８５は、ＣＰＵ１０１０などがＲＡＭ１０３０内に設けたフレーム・バッファ上に生成する画像データを取得し、ディスプレイ１０９０上に表示させる。これに代えて、グラフィックコントローラ１０８５は、ＣＰＵ１０１０などが生成する画像データを格納するフレーム・バッファを、内部に含んでもよい。
【００５６】
通信Ｉ／Ｆ１０４０は、有線又は無線によりネットワークを介して他の装置と通信する。また、通信Ｉ／Ｆ１０４０は、通信を行うハードウエアとして機能する。ハードディスクドライブ１０５０は、ＣＰＵ１０１０が使用するプログラム及びデータを格納する。ＤＶＤドライブ１０７０は、ＤＶＤ−ＲＯＭ１０７２からプログラム又はデータを読み取り、ＲＡＭ１０３０を介してハードディスクドライブ１０５０に提供する。
【００５７】
ＲＯＭ１０２０は、コンピュータ１０００が起動時に実行するブート・プログラム、及びコンピュータ１０００のハードウエアに依存するプログラムなどを格納する。入出力チップ１０８０は、例えばパラレル・ポート、シリアル・ポート、キーボード・ポート、マウス・ポートなどを介して各種の入出力装置を入出力コントローラ１０９４へと接続する。
【００５８】
ＲＡＭ１０３０を介してハードディスクドライブ１０５０に提供されるプログラムは、ＤＶＤ−ＲＯＭ１０７２、又はＩＣカードなどの記録媒体に格納されて利用者によって提供される。プログラムは、記録媒体から読み出され、ＲＡＭ１０３０を介してハードディスクドライブ１０５０にインストールされ、ＣＰＵ１０１０において実行される。
【００５９】
コンピュータ１０００にインストールされ、コンピュータ１０００を制御装置２００として機能させるプログラムは、ＣＰＵ１０１０などに働きかけて、コンピュータ１０００を、制御装置２００の各部としてそれぞれ機能させてよい。これらのプログラムに記述された情報処理は、コンピュータ１０００に読込まれることにより、ソフトウエアと上述した各種のハードウエア資源とが協働した具体的手段である通信中継部２１０、情報格納部２２０及び要求検出部２３０として機能する。そして、これらの具体的手段によって、本実施形態におけるコンピュータ１０００の使用目的に応じた情報の演算又は加工を実現することにより、使用目的に応じた特有の制御装置２００が構築される。
【００６０】
中継機器１００として機能するコンピュータは、コンピュータ１０００と同様の構成を有してよい。中継機器１００として機能するコンピュータは、ディスプレイ１０９０を有さなくてもよい。中継機器１００として機能するコンピュータは、ＤＶＤドライブ１０７０を有さなくてもよい。中継機器１００として機能するコンピュータは、ハードディスクドライブ１０５０を有さなくてもよい。
【００６１】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００６２】
特許請求の範囲、明細書、および図面中において示した装置、システム、プログラム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」などを用いて説明したとしても、この順で実施することが必須であることを意味するものではない。
【符号の説明】
【００６３】
１０  中継システム、２０  ネットワーク、３０  携帯電話網、３２  無線基地局、３４  ＣＳＣＦ、３６  ＥＣＳ、３８  ＧＷ、４０  固定電話網、４８  ＧＷ、５０  ネットワーク、５２  無線基地局、５４  交換装置、１００  中継機器、１１０  通信中継部、１１２  通話処理部、１１４  データ通信処理部、１１６  切断要求受信部、１１８  応答送信部、１２０  宛先判定部、１３０  要求検出部、２００  制御装置、２１０  通信中継部、２１２  通話接続確立部、２１４  切断要求送信部、２１６  データ通信接続確立部、２２０  情報格納部、２３０  要求検出部、３００  電話機、４００  電話機、４１０  緊急電話、４２０  携帯電話、１０００  コンピュータ、１０１０  ＣＰＵ、１０２０  ＲＯＭ、１０３０  ＲＡＭ、１０４０  通信Ｉ／Ｆ、１０５０  ハードディスクドライブ、１０７０  ＤＶＤドライブ、１０７２  ＤＶＤ−ＲＯＭ、１０８０  入出力チップ、１０８５  グラフィックコントローラ、１０９０  ディスプレイ、１０９２  ホストコントローラ、１０９４  入出力コントローラ
【図１】
0006310505.tif 000002
【図２】
0006310505.tif 000003
【図３】
0006310505.tif 000004
【図４】
0006310505.tif 000005
【図５】
0006310505.tif 000006